(57)【特許請求の範囲】
【請求項１】
本体ケースと、複数の駒部材を互いに連結して形成されて前記本体ケースに連結されるバンドと、アンテナと、このアンテナを介して外部との間で無線通信を行う通信手段とを備え、
前記アンテナは前記バンドの駒部材内に配置され、
このアンテナが内蔵されたアンテナ内蔵駒部材から前記本体ケースまでの互いに連結される各部材間には、これらの各部材同士が対向する互いの端面から各部材内部まで貫通する貫通孔が設けられ、
前記各貫通孔には、前記各部材に渡って設けられる筒状部材の両端部が挿入され、前記筒状部材の両端部は、前記各部材の内部側から当該筒状部材に圧入される筒状の固定部材と、前記貫通孔の内周面とで挟持され、
前記本体ケースから前記アンテナ内蔵駒部材までは、各駒部材および前記固定部材および筒状部材内を通して信号線が配設されていることを特徴とする無線機能付き電子機器。
【請求項２】
請求項１に記載の無線機能付き電子機器において、前記アンテナはループアンテナであり、かつ、そのアンテナ開口面がアンテナ内蔵駒部材に連結する他の部材に対向しない向きに配置されていることを特徴とする無線機能付き電子機器。
【請求項３】
請求項１または請求項２に記載の無線機能付き電子機器において、前記アンテナはループアンテナであり、かつ、前記アンテナ内蔵駒部材は、少なくとも前記ループアンテナの開口面に対向する面を非導電性部材で形成したことを特徴とする無線機能付き電子機器。
【請求項４】
請求項１または請求項２に記載の無線機能付き電子機器において、前記アンテナはループアンテナであり、かつ、前記アンテナ内蔵駒部材の少なくとも外面は導電性部材で形成され、前記ループアンテナの開口面に対向する面の導電性部材の厚みは他の面の厚よりも薄いことを特徴とする無線機能付き電子機器。
【請求項５】
請求項１ないし請求項４のいずれかに記載の無線機能付き電子機器において、前記アンテナはループアンテナであり、かつ、前記ループアンテナは磁性体コアが挿入されていることを特徴とする無線機能付き電子機器。
【請求項６】
請求項１ないし請求項５のいずれかに記載の無線機能付き電子機器において、前記アンテナ内蔵駒部材内には前記アンテナに接続された同調用容量素子が配置されていることを特徴とする無線機能付き電子機器。
【請求項７】
請求項１ないし請求項６のいずれかに記載の無線機能付き電子機器において、前記本体ケースは金属製であることを特徴とする無線機能付き電子機器。
【請求項８】
請求項７に記載の無線機能付き電子機器において、前記アンテナ内蔵駒部材には他の駒部材および前記金属製の本体ケースと同様の外観となるように表面処理加工が施されていることを特徴とする無線機能付き電子機器。
【請求項９】
請求項１ないし請求項８のいずれかに記載の無線機能付き電子機器において、前記外部からの無線情報は時刻情報を含む無線情報であり、前記電子機器は、前記無線情報に基づいて修正表示される時刻表示手段を備える電子時計であることを特徴とする無線機能付き電子機器。
【発明の詳細な説明】
【０００１】
【発明の属する技術分野】
本発明は、アンテナを備える無線機能付き電子機器に関する。
【０００２】
【背景技術】
外部からの無線情報を受信して動作する電子機器、例えば、外部からの時刻情報を受信して時刻修正を行う電波修正時計等が知られている。電波修正時計は、長波標準電波を受信し、この受信信号に基づいて時刻修正を行う機能を備えた時計である。長波標準電波は、現在時刻を示す時刻コードを含む電波であり、例えば日本では４０ｋＨｚ（東日本）および６０ｋＨｚ（西日本）の２種類の周波数で送信されている。
電波修正時計は、時計ケース内に内蔵されたアンテナにより長波標準電波を受信する。従って、リング状のケーシング（胴、側）、裏蓋等からなる時計ケースにおいて、ケーシングや裏蓋が金属などの導電体材で構成されていると、金属ケース部分で電波がシールドされて内蔵アンテナで受信しにくくなる。そのため、電波修正時計のケースには、従来、プラスチックやセラミックなどの非導電性部材（電気絶縁体）が利用されていた。（例えば、特許文献１）
【０００３】
【特許文献１】
特開２０００-１０５２８５号公報（第３頁、図１）
【０００４】
【発明が解決しようとする課題】
しかしながら、時計ケースをプラスチック等で形成すると、金属調の外観が得られず、デザイン上の制約となってしまうという問題があった。
このような問題は、電波修正時計に限らず、無線通信用のアンテナを内蔵した各種の電子機器に共通する問題であった。このため、電波修正時計等の無線機能付き電子機器において、本体ケースを金属製にできて金属調の外観が得られ、デザイン上の制約も無くすことができる電子機器が求められている。
本発明の目的は、金属調の外観が得られ、デザイン上の制約も無い無線機能付き電子機器を提供することにある。
【０００５】
【課題を解決するための手段】
本発明の無線機能付き電子機器は、本体ケースと、複数の駒部材を互いに連結して形成されて前記本体ケースに連結されるバンドと、アンテナと、このアンテナを介して外部との間で無線通信を行う通信手段とを備え、前記アンテナは前記バンドの駒部材内に配置され、このアンテナが内蔵されたアンテナ内蔵駒部材から前記本体ケースまでの互いに連結される各部材間つまり本体ケースおよび各駒部材間には、これらの各部材同士が対向する互いの端面から各部材内部まで貫通する貫通孔が設けられ、前記各貫通孔には、前記各部材に渡って設けられる筒状部材の両端部が挿入され、前記筒状部材の両端部は、前記各部材の内部側から当該筒状部材に圧入される筒状の固定部材と前記貫通孔の内周面とで挟持され、前記本体ケースから前記アンテナ内蔵駒部材までは、各駒部材および前記固定部材および筒状部材内を通して信号線が配設されていることを特徴とするものである。
なお、複数の駒部材のうち、アンテナが内蔵される駒部材の配置位置は特に限定されない。例えば、本体ケースに直接連結される部分つまり本体ケースに隣接する駒部材に配置すれば、アンテナから本体ケースまでの信号線を短くできる点で好ましい。
【０００６】
このような本発明においては、本体ケース内にアンテナを配置するのではなく、バンドの駒部材内にアンテナを配置しているので、本体ケースは金属製ケースで構成することができ、金属調の外観が得られ、デザイン上の制約も無い無線機能付き電子機器を提供することができる。例えば、電子機器が電波修正時計であれば、時計の本体ケースつまりケーシング（胴）や裏蓋等を金属製にできる。このため、金属調の外観が得られ、デザイン上の制約も無い電波修正時計にすることができる。
また、互いに連結された本体ケースと駒部材、または駒部材同士の間に渡って配置された筒状部材の両端部が、本体ケースおよび駒部材に孔設された貫通孔と、本体ケースや駒部材の内部側から筒状部材に挿入される固定部材とで挟持して筒状部材を貫通孔に密着しているので、筒状部材によって連通される本体ケースおよび駒部材内部に対する防水性能を十分に高めることができる。このため、従来は防水性の確保が困難であったためにアンテナを配置することが難しかったバンドの駒部材内にアンテナを内蔵させることができる。また、筒状部材は、信号線とは別部材として加工および取り付けができるので、信号線や筒状部材の加工の手間が掛からず取付作業を容易にできるとともに、信号線に余分な力が加わることもなく信号線の耐久性も向上できる。
【０００７】
なお、アンテナが内蔵される駒部材の材質としては、アンテナの感度を高める点で、プラスチック等の非導電部材を用いることが好ましい。
但し、駒部材は、本体ケースに比べて通常小さく、その分、強度確保に必要な厚みも小さくできるため、金属などの導電性体で構成してもある程度の感度を確保できる。従って、無線通信の条件（信号強度が大きい場合等）によっては駒部材を導電性体（各種金属等）で構成することもできる。
また、「信号線」とは、電気信号や磁気信号、光信号等の信号を伝送するもので、具体的には、導電性材料から形成される導電線、例えば、銅や鉄、金、アルミニウム等の材料からより線や単線に形成されたものが含まれる。また、上記導電線に限らず、銅箔等の薄膜状導電性材料をフィルム状の基板上に貼り付けて回路を形成した電子回路や磁気回路等の他、光信号を伝送する光ファイバケーブル等が含まれる。
また、「筒状部材」は、水密性を有する部材であって、ゴムや合成樹脂等の伸縮性を有する弾性材料や、合成樹脂や金属材料を蛇腹状やスパイラル状に組み合わせ可撓性や伸縮性を備えた部材等から形成される。また、その形状は、円筒状や断面略楕円形、長円形の筒状、断面多角形の角筒状に形成されたものが含まれる。ゴムとしては特に、ＮＢＲ（アクリロニトリル‐ブタジエン‐ゴム）やＩＩＲ（ブチルゴム）、ウレタンゴム等が適している。
また、通信手段としては、外部との間で無線情報を送受信できるもの、送信のみできるもの、受信のみできるもののいずれかがその電子機器の機能等に応じて選択されている。例えば、電子機器が電波修正時計であれば、無線情報の受信機能を備えていればよいため、通信手段も受信機能のみを有するものが利用できる。
【０００８】
ここで、前記アンテナはループアンテナであり、このループアンテナの開口面がアンテナ内蔵駒部材に連結する他の部材に対向しない向きに配置されていることが好ましい。すなわち、ループアンテナの開口面に直交する軸方向が、アンテナ内蔵駒部材と他の駒部材や本体ケースとの連結方向に一致せず、連結方向に対して直交等の他の方向に向くように配置されていることが好ましい。
ループアンテナは、軸方向（開口面に直交する方向）が最大感度方向となる指向性を有する。このため、ループ開口面に対向する部分（ループアンテナの軸方向）に金属等の導電性部材が配置されているとアンテナ特性が劣化する。従って、本発明のように、ループアンテナの開口面がアンテナ内蔵駒部材に連結する他の部材に対向しない方向で配置されていれば、他の駒部材や本体ケースが金属製であったとしてもそれらによってアンテナ特性が劣化することが無く、アンテナ感度の低下を防止できる。
【０００９】
また、前記アンテナ内蔵駒部材は、少なくとも前記ループアンテナの開口面に対向する面を非導電性部材で形成したことが好ましい。すなわち、アンテナ内蔵駒部材において、少なくともループアンテナの開口面に直交する軸方向に存在する面を、プラスチックなどの非導電性部材で形成することが好ましい。
具体的には、アンテナ内蔵駒部材全体を、プラスチック等の非導電性部材で構成してもよい。また、アンテナ内蔵駒部材のアンテナ開口面に対向する面を非導電性部材で構成し、他の部分を金属等の導電性部材で構成してもよい。
このような構成によれば、アンテナの指向性に最も影響するアンテナ開口面に対向する面が非導電性部材で構成されているので、アンテナ特性の劣化を防止することができる。
【００１０】
また、前記アンテナ内蔵駒部材全体を導電性部材で構成した場合、前記ループアンテナの開口面に対向する面の部材の厚みを他の面の厚みより薄くすることが好ましい。
このような構成によれば、駒部材がすべて導電性部材で形成されつつも、アンテナの指向性に最も影響するアンテナ開口面に対向する面のみが薄い導電性部材で構成されているので、駒部材の外観の質感を保ちつつ、アンテナ特性の劣化を防止することができる。
【００１１】
ここで、前記ループアンテナは磁性体コアが挿入されていることが好ましい。
ループアンテナとしてはコアが無いものも利用できるが、磁性体コアが挿入されていれば、指向性をよりシャープにでき、アンテナ特性を向上できる。
【００１２】
また、前記アンテナ内蔵駒部材内には前記アンテナに接続された同調用容量素子が配置されていることが好ましい。
バンドの駒部材にアンテナを内蔵した場合、本体ケース内にアンテナを内蔵している電子機器に比べて、アンテナ配線が長くなるため、腕や本体ケースとの角度等により同調周波数がずれやすい。これに対し、同調用容量素子（コンデンサ）をアンテナ内蔵駒部材内に配置すれば、同調用容量素子までのアンテナ配線を短くでき、外部からの影響を少なくできて無線信号の通信（受信や送信）を安定して行うことができる。
【００１３】
さらに、前記本体ケースは金属製であることが好ましい。ここで、本体ケースとは、電子機器の各種部品等が収納された本体部分を覆うケースにおいて、例えば時計の表面側のガラスのように、その機能上、材質が限定される部分を除き、材質を選択可能な部分、例えば、時計であれば表面ガラスを除く、ケーシング（胴）や裏蓋部分を意味する。
本体ケースを金属製にできれば、金属調の外観が得られ、デザイン上の制約も少なくすることができる。
【００１４】
この際、前記アンテナ内蔵駒部材には他の駒部材および前記金属製の本体ケースと同様の外観となるように表面処理加工が施されていることが好ましい。
このような構成によれば、アンテナ内蔵駒部材をプラスチック等の非導電性部材で構成し、他の駒部材を金属などの導電性部材で構成して各駒部材で材質が異なる場合でも、表面処理加工を施すことで外観を同様のものにでき、バンド部分の意匠性を向上することができる。さらに、アンテナ内蔵駒部材および他の駒部材は、金属製の本体ケースとも同じような外観となるため、本体ケースおよびバンド部分が統一感のある外観意匠となり、電子機器全体の意匠性も向上することができる。
【００１５】
さらに、前記外部からの無線情報は時刻情報を含む無線情報であり、前記電子機器は、前記無線情報に基づいて修正表示される時刻表示手段を備える電子時計であることが好ましい。このようないわゆる電波修正時計に本発明を適用すれば、従来の電波修正時計と異なり、金属製の時計ケースを用いることができ、電波修正時計においても金属調の外観が得られ、デザイン上の制約も少なくすることができる。
この際、時計の文字板は、金属製の文字板、または非導電性部材（プラスチック等）の表面にメタリック塗装等の処理を施して金属層を設けた文字板であることが好ましい。従来の電波修正時計では、時計ケース内にアンテナを内蔵していたため、時計ケースを金属製にできなかったことと同様に、文字板もプラスチック等の非導電性部材しか使えず、文字板を金属調にすることができず、デザイン上の制約となっていたという問題があった。これに対し、本発明では、時計ケース内にはアンテナを内蔵していないので、文字板も、例えば黄銅（真鍮、Ｂｓ）、洋白（洋銀、ＮＳ）等の金属製や、プラスチック板等に表面加工を施して金属層を設けたものが利用でき、文字板を金属調の外観にできてデザイン上の制約も無くすことができる。
【００１６】
【発明の実施の形態】
以下、本発明の実施の形態を図面に基づいて説明する。なお、以下の説明にあたって、同一構成要件については、同一符号を付し、その説明を省略もしくは簡略化する。
〔第１実施形態〕
図１には、本発明の第１実施形態に係る電子機器としての電波修正時計１の構成を示すブロック図が示されている。
本発明の電波修正時計１は、一般的な電波修正時計と同様の構成を備えるものであり、時刻情報を含む電波を受信する通信手段としての受信手段２と、駆動制御回路部３と、指針を駆動する駆動手段４と、時刻をカウントするカウンタ部６と、電力を供給する電力供給手段７と、リュウズなどの外部入力装置８とを備えて構成されている。
【００１７】
受信手段２は、電波を受けるアンテナ２１と、コンデンサ等で構成されてアンテナ２１で受信する電波に同調させる同調回路部２２と、アンテナ２１で受けた情報を処理する受信回路２３と、受信回路２３で処理された時刻データを記憶する時刻データ記憶回路部２４とを備えて構成されている。
アンテナ２１は、図２に示すように、フェライト、電磁軟鉄（ＳＵＹ）、アモルファス（Co系）等で構成された磁性体コア２１１にコイル２１２を巻き、耐食性に優れるカチオン電着塗装で絶縁を施したものなどが利用できる。なお、コイル２１２の巻き方としては、特に限定されず、乱巻きなどでもよいが、特に整列巻きが好ましい。整列巻きを採用すれば、コイル線材間の無駄な空間が無くなり、同じインダクタンス値を得るためのコイル体積を小さくできる。
このアンテナ２１には、外部への接続用のフレキシブル基板２１３が接続され、この基板２１３上の２つの配線パターン２１４にコイル２１２の両端部がそれぞれ接続されている。
【００１８】
受信回路２３は、図３に示されるように、アンテナ２１によって受信された長波標準電波信号を増幅する増幅回路２３１と、増幅された長波標準電波信号から所望の周波数成分のみを抜き出すバンドパスフィルタ２３２と、長波標準電波信号を平滑化し復調する復調回路２３３と、増幅回路２３１のゲインコントロールを行ない長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路２３で受信され信号処理された時刻データは時刻データ記憶回路部２４に出力されて記憶される。
受信回路２３は、予め設定されたスケジュールや外部入力装置８による強制受信操作等によって、駆動制御回路部３から出力される受信制御信号に基づいて時刻情報の受信を開始する。
【００１９】
駆動制御回路部３は、図１に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。
【００２０】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各回路４１、４２からのパルス信号によって駆動されるステッピングモータからなる秒モータ４１１，時分モータ４２１を駆動し、これにより各モータ４１１，４２１に接続された秒針と、分針および時針とを駆動する。
【００２１】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス)をカウントする。また、受信手段２で時刻データを受信した場合には、この時刻データのうちの秒データに合わせてカウンタ値が修正される。
【００２２】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス)をカウントする（正確には１Ｈｚを６０回計数したところで１カウントとする）。また、受信手段２で時刻データを受信した場合には、この時刻データのうちの時分データに合わせてカウンタ値が修正される。
【００２３】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００２４】
電力供給手段７は、発電手段としての発電装置７１と、発電装置７１で発電された電力を蓄電する高容量二次電源７２とを備えて構成されている。
外部入力手段としての外部入力装置８は、リュウズ等を備え、受信動作や時刻合わせなどを行うために利用される。
【００２５】
このような構成の電波修正時計１は、図４，５にも示すように、約リング状に形成されたケーシング（胴）９１と、ケーシング９１の表面側にガラス縁９２Ａを介して装着されたカバーガラス９２と、ケーシング９１の裏面側に着脱可能に取り付けられた裏蓋９３とを備えている。ケーシング９１および裏蓋９３は、ステンレス鋼、真鍮、チタン等の金属材で構成される。従って、ケーシング９１および裏蓋９３によって、本実施形態における金属製の本体ケース（時計ケース）９が構成されている。本体ケース９内には、アンテナ２１を除く前記各構成が組み込まれている。すなわち、駆動制御回路部３およびカウンタ部６を構成する回路基板１５０、駆動手段４を構成するモータや輪列等が組み込まれた時計体（ムーブメント）１６０、電力供給手段７を構成する電池１７０、時計体１６０の表面側に設けられた文字板１８０等の各構成部材が組み込まれている。
ここで、前記フレキシブル基板２１３は、回路基板１５０に電気的に接続されている。また、文字板１８０は、黄銅（真鍮、Ｂｓ）、洋白（洋銀、ＮＳ）等の金属で製造されたものや、プラスチック板等にメタリック塗装等の表面処理加工を施して金属層を設けたもので構成されている。
【００２６】
ケーシング９１の対向する２カ所、通常は文字板１８０における１２時方向および６時方向には、時計バンド１０を連結するための連結用突片（カン）９１Ａがそれぞれ突設されている。このケーシング９１に取り付けられる時計バンド１０は、複数の駒部材１００をピン（バネ棒等）で互いに回動可能に連結することで構成されている。そして、端部の駒部材１００もケーシング９１にピン１０５で回動可能に連結されている。
【００２７】
本実施形態では、ケーシング９１にピン１０５で取り付けられる２つの駒部材１００の内、一方の駒部材１００Ａには、前記アンテナ２１が配置されている。駒部材１００Ａは、バンド１０の表面側に配置される駒本体１０１と、この駒本体１０１の裏面側に取り付けられる裏蓋１０２とを備えて構成されている。なお、図４はバンド１０を裏面側から見ている図であるため、裏蓋１０２が上側に配置されている。
駒本体１０１は、金属製であり、図示のように、断面略コ字状に形成されている。駒本体１０１は、前記ピン１０５が挿通される貫通孔が形成された２つの突部１０１Ａと、他の駒部材１００が連結される突部１０１Ｂとを有し、突部１０１Ａおよび前記連結用突片９１Ａを通してピン１０５を嵌挿することで、時計ケース９および駒部材１００Ａは互いに回動可能に連結されている。
この駒本体１０１を金属製にすることで、傷が付きやすいバンド１０の表面側の耐久性の向上および時計ケース９と同様の金属調の外観が得られて意匠性の向上を図ることができる。
【００２８】
一方、裏蓋１０２は、断面略コ字状に形成され、駒本体１０１と組み合わされることで、内部に中空の空間を形成できるようにされている。
ここで、裏蓋１０２の裏面部１０２Ａは、金属等の導電性部材またはプラスチックやセラミックなどの非導電性部材（電気絶縁体）で構成されている。一方、裏蓋１０２の側面部１０２Ｂは、アンテナ２１への磁束の出入り口になるため、プラスチックやセラミック等の電気絶縁体で構成されている。従って、裏蓋１０２は、全体がプラスチックやセラミックなどの非導電性部材で構成されたものや、金属部分とプラスチックなどの非導電性部分とを備える複合材で構成されたものが利用できる。なお、駒本体１０１と裏蓋１０２との接合方法は、各部材の材質などに応じて適宜設定すればよく、接着剤、ねじ等を用いた適宜な方法が利用できる。
【００２９】
そして、アンテナ２１は、コイル２１２の軸方向が前記両側面部１０２Ｂを結ぶ方向となるように、換言すれば、アンテナ２１の磁性体コア２１１の両端面２１１Ｂが各側面部１０２Ｂにそれぞれ対向するように、駒部材１００Ａの内部空間に配置される。従って、駒部材１００Ａはアンテナ内蔵駒部材として機能している。
【００３０】
アンテナ２１は、フレキシブル基板２１３を時計ケース９内まで挿通させることでケース９内に配置される回路基板に接続される。
すなわち、ケーシング９１および駒本体１０１の互いに対向する各対向端面には、貫通孔９５，１０６が形成されている。そして、図５にも示すように、各貫通孔９５，１０６に跨ってチューブ（筒状部材）１１０が配置されている。
チューブ１１０は、ＮＢＲ（アクリロニトリル‐ブタジエン‐ゴム）等のゴム材料により、略円筒状に形成されている。チューブ１１０の外径は、貫通孔９５，１０６の内径と略同一とされている。また、チューブ１１０の両端部には、チューブ１１０の径方向外側へ向かって突出し、貫通孔９５，１０６の内径よりも外径が大きい端部突出部１１０Ａが形成されている。これらの端部突出部１１０Ａは、貫通孔９５，１０６の内部側端縁に当接している。
【００３１】
チューブ１１０の両端開口部内にはそれぞれ、ケーシング９１および駒本体１０１の各部材内部側から、金属製で筒状の固定部材１１５が圧入されている。固定部材１１５は、一端側にフランジが形成された略円筒形状に形成されている。
固定部材１１５の外径は、チューブ１１０の内径と略同一とされている。従って、固定部材１１５の略円筒形状外周面と、ケーシング９１および駒本体１０１の貫通孔９５，１０６の内周面とで、チューブ１１０が挟持、固定されている。
この固定構造により、チューブ１１０が貫通孔９５，１０６内面に密着し、貫通孔９５，１０６部分からの水の浸入を防止して防水性が確保されている。なお、各駒本体１０１および裏蓋１０２の接合面部分も必要に応じてシール材等が介在されて防水性が確保されている。
【００３２】
これらのチューブ１１０および固定部材１１５の内側（内部貫通孔部分）を通って、フレキシブル基板２１３が駒部材１００Ａ内のアンテナ２１からケーシング９１内の回路基板まで配設されている。
なお、ケーシング９１と駒部材１００Ａとは、ピン１０５によって回動可能に連結されているが、この際の回動角度は、回動角規制手段によって所定角度範囲内に規制されている。回動角規制手段としては、種々の構成が採用できるが、例えば、ケーシング９１に対して駒部材１００Ａが所定角度まで回動すると、ケーシング９１と駒部材１００Ａとが当接してそれ以上回動できないようにする構成等が利用できる。
また、チューブ１１０が、駒部材１００Ａとケーシング９１及び裏蓋１０２の隙間から見えないようにした方が外観は良くなるので、前記の回転角規制手段も兼ねた化粧部材をさらに追加して、チューブ１１０を覆って隠してもよい。
【００３３】
駒部材１００Ａ内に配置されるアンテナ２１は、前述の通り、コイル２１２が巻かれた磁性体コア２１１の軸方向に、電気絶縁体で構成された前記裏蓋１０２の側面部１０２Ｂが配置される向きに設定されている。
アンテナ２１で長波標準電波等の電波を受信するときは、図６にも示すように、電波の一部である磁界成分は、アンテナ２１のコア２１１を、その一端Ａから他端Ｂへと通過する。すると、コア２１１に巻回されたコイル２１２に交流電流が誘導され、これに伴ってコイル２１２の両端に交流電圧が発生する。そして、この交流電圧がアナログ受信信号として受信回路２３に流れる。
そして、このアナログ受信信号を受信回路２３で増幅、復調、デコード等の処理をしてデジタルの時刻データとし、時刻データ記憶回路部２４に記憶している。
すなわち、アンテナ２１は、コア２１１の一端Ａと他端Ｂとを結ぶ延長線方向（コア２１１やコイル２１２の軸方向）の磁界に反応する指向性を有している。
従って、前記延長線方向に存在する裏蓋１０２の側面部１０２Ｂを電気絶縁体で構成し、延長線方向の磁界成分が駒部材１００Ａで遮断されずに容易に通過するように構成している。
【００３４】
また、駒部材１００Ａ、駒本体１０１の材質は金属部材で構成した場合は、側面部１０２Ｂの厚みを他の部分より薄くした方が望ましい。理想的には３０μｍ以下に薄くすると長波の場合、電波が透過してアンテナ特性が確保できる。駒部材１００Ａ、駒本体１０１がすべて同じ金属部材で構成したので、部材としての一体感が増して外観状の美観を向上できる。なお、側面部１０２Ｂの導電部材の厚みが薄くなることで駒部材の強度が不足する場合は、駒部材の内部をプラスチック等の非導電性部材で補強しても良い。
【００３５】
このような構成による電波修正時計１の動作を説明する。
まず、通常時の時刻表示について説明する。通常は、駆動制御回路部３は、パルス合成回路３１から入力されるパルス信号（基準信号）を利用し、１Ｈｚのパルス信号を送って秒時刻カウンタ６１２のカウンタ値をカウントアップする。秒時刻カウンタ６１２がカウントアップして秒位置カウンタ６１１のカウンタ値と異なると、一致検出回路６１３はその不一致を検出して駆動制御回路部３に不一致信号を出力する。駆動制御回路部３は、その不一致信号に基づいて、秒駆動パルス信号ＰＳ１を出力する。この秒駆動パルス信号ＰＳ１の出力により、秒位置カウンタ６１１がカウントアップされるとともに、秒駆動回路４１を介して秒モータ４１１が駆動され、秒針が駆動される。以上の処理は一致検出回路６１３で各カウンタ６１１，６１２の値が一致するまで行われる。従って、通常運針時は、秒時刻カウンタ６１２に１Ｈｚが入力されてカウンタ値が「１」カウントアップされる毎に、秒駆動パルス信号ＰＳ１が１つ出力され、秒針が１秒分毎ステップ運針される。
時分についても同様に、時分時刻カウンタ６２２でカウントされるカウント値に時分位置カウンタ６２１のカウント値を一致させるように駆動制御回路部３から時分駆動パルス信号ＰＳ２が出力され、時分駆動パルス信号ＰＳ２に応じて時分駆動回路４２から時分モータ４２１にパルス信号が出力され時針、分針が駆動される。
【００３６】
次に、時刻情報を受信した場合の動作について説明する。
駆動制御回路部３は、設定された受信開始時間になると、受信回路２３を駆動して時刻情報の受信を開始する。なお、外部入力装置８による受信動作開始の操作によって強制的に開始（強制受信）させることも可能である。
受信回路２３が作動されると、アンテナ２１を介して受信された電波（時刻情報）は受信回路２３で処理されたのち、記憶回路部２４に記憶される。このとき、受信した時刻データが正しいか否かの検証も合わせて行われる。具体的には、長波標準電波の時刻情報は１分毎のデータとなるため、受信した複数の時刻データが１分間隔の異なるデータになっているかで判断される。
受信された時刻情報が正しいデータと判断されると、駆動制御回路部３の指示によって、時刻データは秒時刻カウンタ６１２と時分時刻カウンタ６２２に出力され、秒時刻カウンタ６１２と時分時刻カウンタ６２２のカウント値が修正される。そして、各時刻カウンタ６１２，６２２のカウント値が修正された結果、各位置カウンタ６１１，６２１と異なる値になると、それらのカウント値が一致するまで各一致検出回路６１３，６２３の不一致信号を受けて、駆動制御回路部３は、各駆動パルス信号ＰＳ１、ＰＳ２を出力し、各指針を駆動する。この指針の駆動は、各カウンタ値が一致するまで早送りで継続される。
【００３７】
なお、バンド１０を構成する各駒部材１００は、図示しないが駒部材１００Ａと同一の形状で構成された一体型の金属製の駒部材１００で構成されている。そして、バンド１０は、複数の金属製駒部材１００が、ばね棒等を介して互いに回動可能に連結されて構成されている。複数の金属製駒部材１００のうち、端部に配置される駒部材は、端部駒部材１００Ａとされ、この端部駒部材１００Ａをケーシング９１に連結することで、バンド１０が時計ケース９に取り付けられる。
なお、図示しないが、ケーシング９１（時計ケース９）の両側部に連結されたバンド１０の他端側は、Ｚ字形に折り畳み可能な中留等を備えた固定具を介して連結され、全体環状に形成されている。時計１を腕へ装着する際には、中留等によってバンド１０を良好な装着感が得られる長さに調節し、腕を挿通し固定具を固定して装着することとなる。
【００３８】
前述の本実施形態によれば、次のような効果が得られる。
（１）アンテナ２１をバンド１０の駒部材１００Ａ内に配置しているので、本体ケース（時計ケース）９であるケーシング９１等は金属製ケースで構成することができる。このため、本体ケース内にアンテナを配置していた従来の電波修正時計のように、本体ケースをプラスチック等で構成した場合に比べてチタン等の金属製にできるため、顧客ニーズの高い金属調の外観が得られ、これによりデザイン上の制約も少ない電波修正時計１を提供することができる。
その上、時計ケース９をプラスチック等の金属材以外で構成する場合、必要な強度を確保するために、厚みにしたり補強リブを設けるなど、ケース９の製造に工夫を要するが、金属製であれば、プラスチック等と比べて一般的には強度が高いので、より強度の高いケース９にできたり、同じ強度を確保するために必要なケース９の厚み寸法を小さくすることができる。
さらに、本実施形態では、文字板１８０も金属製あるいは表面が金属層のものにできるため、文字板１８０においても金属調の外観を得ることができ、デザイン上の制約も少なくできるので、顧客ニーズの高いデザインを設計することができる。
【００３９】
（２）ケーシング９１および駒部材１００Ａ間に跨ってチューブ１１０を配置し、このチューブ１１０内に固定部材１１５を圧入してチューブ１１０および各貫通孔９５，１０６を密着させているので、貫通孔９５，１０６部分からの浸水等も防止でき、ケーシング９１内部および駒部材１００Ａ内部の防水性能を十分に高めることができる。具体的には、本実施形態の構造を備えた時計１では、１０気圧程度の水圧に耐え得る防水性能が確保できる。このため、アンテナ２１を駒部材１００Ａ内に配置しても、水浸入による故障等を防止でき、安定した性能を長期間確保することができる。
【００４０】
（３）また、チューブ１１０は、信号線（フレキシブル基板２１３）とは別部材として加工および取り付けできるので、フレキシブル基板２１３やチューブ１１０の加工の手間が掛からず取付作業を容易にできるとともに、フレキシブル基板２１３に余分な力が加わることもなくその耐久性も向上できる。また、チューブ１１０は、ＮＢＲ等の弾性材料であるゴムから形成され、その両端部のみが固定部材１１５と貫通孔９５，１０６とで挟持、固定されているため、時計ケース９および駒部材１００Ａが互いに回動した状態でも、相互間の変形をチューブ１１０の中間部分が変形して吸収できるので、チューブ１１０がずれたり、外れたりすることがなく、防水性を確保できる。
【００４１】
（４）アンテナ２１が内蔵される駒部材１００Ａにおいて、コイル２１２の軸方向（コア２１１の軸方向）に配置される裏蓋１０２の側面部１０２Ｂを、非導電性部材で構成しているので、電波の受信感度を高めることができる。
さらに、前記アンテナ２１のコア２１１やコイル２１２の軸方向が、バンド１０の延長方向や時計ケース９の方向と異なるように構成したので、他の駒部材１００やケーシング９１などが金属製であっても、電波受信に障害とならず、受信感度の低下を防止することができる。
【００４２】
（５）駒部材１００Ａは、駒本体１０１および裏蓋１０２で構成されており、バンド１０の表面側に露出する駒本体１０１を金属製としたので、裏蓋１０２がプラスチックなどの非導電性部材で構成されていた場合でも、バンド表面側の意匠は他の駒部材１００と同じ金属製にできるので、意匠性を向上することができる。
【００４３】
（６）ループアンテナ２１は磁性体コア２１１が挿入されているので、指向性をよりシャープにでき、アンテナ特性を向上できる。
【００４４】
（７）チューブ１１０の両端部に形成された端部突出部１１０Ａが、ケーシング９１および駒本体１０１に孔設された貫通孔９５，１０６の内部側端縁に当接、係止されているので、時計ケース９および駒部材１００Ａが互いに回動した状態において、チューブ１１０に大きな引張力が作用した場合でも、チューブ１１０が貫通孔９５，１０６に対してずれることなく、より一層防水性を高めることができる。
その上、固定部材１１５をチューブ１１０に挿入する際、端部突出部１１０Ａが貫通孔９５，１０６の内部側端縁に係止され、チューブ１１０が抜け出してしまうことがないので、取付作業を容易にできる。
【００４５】
（８）時計ケース９および駒部材１００Ａの回動角度を規制する手段を設けたので、これらの各部材が必要以上に回動することを防止できる。このため、チューブ１１０や信号線（フレキシブル基板２１３）に作用する応力および変形を所定量以下に抑制できる。
【００４６】
（９）アンテナ２１を駒部材１００Ａに収納できるので、従来のようにアンテナを時計ケース９内に配置する場合に比べて、時計ケース９の大きさを小さくしたり、厚さを薄くすることができる。
さらに、時計ケース９内には電池や回路基板、モータ等の各部品が配置されているため、アンテナを配置する場合にはそのレイアウトや大きさが制限されるため、あまり大きなアンテナを組み込むことができない。これに対し、本実施形態では、他の部品が配置されていない駒部材１００Ａ内にアンテナ２１を配置しているので、駒部材１００Ａ自体の大きさや厚さによる制限はあるにしても、時計ケース９内に配置する場合に比べて、アンテナ２１のレイアウトや大きさの制限が少なくなり、比較的大きなあるいは巻数の多いアンテナ２１を用いることもできる。
【００４７】
〔第２実施形態〕
次に、本発明の第２実施形態について説明する。第２実施形態は、駒部材１００Ａの構造と、アンテナ２１の磁性体コア２１１の構造のみが前記第１実施形態と相違するものであるため、その部分のみを説明する。なお、以下の各実施形態において、前述した各実施形態と同一または同様の構成部分には同一符号を付し、説明を省略または簡略する。
第２実施形態の駒部材１００Ａは、図７に示すように、駒本体１２１と、上蓋１２２とで構成されている。駒本体１２１は、プラスチックなどの電磁絶縁体からなり、上面（バンド表面側）に開口する凹部状の収納部１２１Ａを備えて構成されている。そして、この収納部１２１Ａに前記アンテナ２１を収納した状態で、上蓋１２２を収納部１２１Ａの上面に固着して駒部材１００Ａを構成する。なお、上蓋１２２は、金属製でもよいし、プラスチック、セラミックなどの電磁絶縁体でもよい。また、駒本体１２１との固着方法としては、接着剤を用いた接着方法、超音波溶着、熱かしめ、ねじ等の各種の固着方法が利用できる。これらの固着方法は、駒本体１２１、上蓋１２２の材質等に応じて適宜選択すればよい。
【００４８】
アンテナ２１の磁性体コア２１１は、コバルト系アモルファス金属、鉄系アモルファス金属磁性材料等の各種アモルファス金属薄板２１１Ａを積層して構成されている。アモルファス金属薄板２１１Ａは、溶融した原料を急冷する連続鋳造超急冷装置等により製造でき、その製造手順は例えば以下の通りである。
まず、誘導加熱炉で原料となる複数種類の金属を溶融し、誘導加熱炉から注がれる溶融原料をフィーダーで加圧して鋳造ヘッドから噴出し、この吹き付けられた溶融原料を急冷ドラムで急速冷却してアモルファス金属からなるテープを形成し、このテープを巻き取り装置に巻き取る。
この連続鋳造超急冷装置で製造されたテープを、巻き取りリールとともに打ち抜き用のプレス装置にセットし、プレス装置で打ち抜くことにより、テープから磁性体コア２１１の平面形状に応じた所定の形状を有する磁性薄材、換言すれば、所定形状となったアモルファス金属薄板２１１Ａを製造する。
【００４９】
この後、所定形状となったアモルファス金属薄板２１１Ａを窒素ガス等の中で加熱・冷却して焼鈍を行う。この際、アモルファス金属薄板２１１Ａを所定温度まで加熱し、当該所定温度に到達してから所定時間が経過するまで当該温度を維持した後、冷却する。例えば、コバルト系アモルファス金属薄板２１１Ａを製造する場合、加熱時の温度上昇率は、約５０℃／１時間に設定することができる。
冷却時の温度降下率は、例えば、約３００℃／１時間に設定できる。所定温度は、２２５℃より高温で５５０℃以下の範囲内に設定できる。所定温度を維持する所定時間は、３０分以上１２０分以下の範囲内に設定することができる。
【００５０】
焼鈍が完了したら、複数のアモルファス金属薄板２１１Ａを積層し、この状態で、アモルファス金属薄板２１１Ａに圧力を加え、これらのアモルファス金属薄板２１１Ａの隙間に、毛細管現象により接着剤を注入し、これにより、複数のアモルファス金属薄板２１１Ａを貼り合わせた所定の厚さの磁性体コア２１１を形成する。
なお、アモルファス金属薄板２１１Ａの厚さは、例えば、１５μｍあるいは２５μｍに設定することができる。
【００５１】
本実施形態によれば、前述の(１)〜(９)の効果と合わせて、次のような効果が得られる。
(10)磁性体コア２１１として、アモルファス金属薄板２１１Ａを積層したものを用いているので、磁束が流れる方向の断面積を小さくでき、磁束変化により生じる渦電流が抑制され、鉄損を小さくできる。
(11)駒本体１２１に収納部１２１Ａを形成したので、上蓋１２２は板状に形成できる。従って、上蓋１２２を金属やセラミックなどで形成する場合も、その加工が容易であり、安価に提供できる。その上、駒本体１２１もプラスチックなどで構成されるため、射出成形等を用いて容易に製造することもでき、比較的安価に製造できる。また、アンテナ２１が収納される駒本体１２１を電磁絶縁体（非導電性部材）で構成しているので、コイル２１２の軸方向（コア２１１の軸方向）には電磁絶縁体の駒本体１２１が配置されることになるため、電波をシールドしてしまうことがなく、電波の受信感度を高めることができる。
さらに、上蓋１２２は、アンテナ感度への影響が小さいために、金属等の導電性部材を用いることができる。このため、バンド１０の表面意匠などを考慮し、他の駒部材１００と同様の外観となるように、他の駒部材１００と同じ金属製の上蓋１２２等を用いることができ、バンド１０の意匠性を容易に向上できる。
【００５２】
〔第３実施形態〕
次に、本発明の第３実施形態について説明する。第３実施形態は、駒部材１００Ａの構造が第１、２実施形態と相違するものである。なお、アンテナ２１は、第２実施形態と同じ構成であるため、説明を省略する。
第３実施形態の駒部材１００Ａは、図８に示すように、駒本体１３１と、側蓋１３２とで構成されている。駒本体１３１は、金属製部材からなり中空筒状に形成されている。側蓋１３２は、プラスチックなどの非導電性部材（電磁絶縁体）で構成されている。
そして、駒本体１３１の中空部（収納部）１３１Ａ内にアンテナ２１が収納され、その両開口部に側蓋１３２が装着されている。この際、コイル２１２の軸方向（コア２１１の軸方向）が中空部１３１Ａの軸方向と一致する向きでアンテナ２１は収納されている。従って、コイル２１２の軸方向には、非導電性部材からなる側蓋１３２が配置され、受信感度の低下を防止している。
また、駒本体１３１の外周の一部は、金属部分が切断されて絶縁材１３３が挟み込まれている。なお、本実施形態では、この絶縁材１３３は、バンド裏面側に形成されており、駒部材１００Ａにおけるバンド表面側の意匠の低下を防止している。
【００５３】
本実施形態によれば、前述の(１)〜(10)の効果と合わせて、次のような効果が得られる。
(12)駒本体１３１を金属製でかつ中空状に形成したので、バンド１０の裏面側つまり腕に時計１を装着した際に腕に接する面側も金属製にすることができ、腕に装着した場合の同調周波数のズレを最小限に抑えることができ、安定したアンテナ特性を実現することができる。すなわち、アンテナ２１が内蔵される駒部材１００Ａのバンド裏面側を非導電性部材で構成した場合には、腕に装着した場合としない場合とで同調周波数の差が大きくなるため、調整が必要となる。これに対し、バンド裏面側が金属であれば、腕に対する装着の有無による同調周波数の差は小さくなり、予め腕に装着しない状態で調整することもでき、安定したアンテナ特性を得ることができる。
【００５４】
(13)さらに、ループアンテナ２１の周囲を全周金属製にすると、うず電流が発生してアンテナ効率が劣化する可能性があるが、本実施形態では、金属の周回方向の一部に絶縁材１３３を挿入して絶縁しているので、うず電流の発生を抑えることができ、アンテナ効率の劣化も防止できる。
【００５５】
(14)駒部材１００Ａは、側蓋１３２のみをプラスチック等の非導電性部材で構成し、駒本体１３１は金属製であるため、他の駒部材１００と略同様の外観および装着感を得ることができる。
【００５６】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
例えば、アンテナ２１の構成としては、図９に示すように、磁性体コア２１１の断面積が大きい面がコイル２１２の軸方向に直交するように、コイル２１２を巻回してもよい。なお、このアンテナ２１を駒部材１００Ａに配置した場合、コイル２１２つまりコア２１１の軸方向は、通常、駒部材１００Ａの表面および裏面を結ぶ方向となる。
この場合には、バンド１０の表面に直交する方向の磁界成分に対して送受信時の感度を高くすることができる。このため、例えば、電車の自動改札機等で利用されている非接触ＩＣ（ＲＦ−ＩＤ）を用いた認証システムにおけるＲＦ−ＩＤ用アンテナとして前記アンテナ２１を利用することができる。すなわち、改札機等の認証機側に設置されたリードライタ用アンテナは、ＲＦ−ＩＤ用アンテナを組み込んだカードを近接させて情報を通信するため、無線情報の磁界成分が読み取り面に対して直交方向に（例えば上下方向）に出ている。従って、バンド１０内のアンテナ２１も、そのアンテナ２１の軸方向を読み取り面に対して直交方向に向ける必要がある。この際、図９に示すような構成にすれば、バンド１０の表面を認証機側の読み取り面に対向させればよいため、認証操作が容易になり、確実に認証できる利点がある。
さらに、標準電波（ＪＪＹ）のように、４０ｋＨｚや６０ｋＨｚの低い周波数帯の電波を利用して通信する場合には、アンテナインダクタンス値を大きくする必要があるため、コイル巻数が多くできる前記実施形態の構成が好ましい。これに対し、１３．５６ＭＨｚ等の非接触ＩＣカード（ＩＳＯ１４４４３）のように高い周波数を使う場合は、図９に示す構成のほうがアンテナ特性を向上できるという利点もある。従って、使用する無線信号の種類などに応じてアンテナ２１の構成を設定すればよい。
【００５７】
また、アンテナ２１としては、図１０に示すように、同調用コンデンサ２３０をフレキシブル基板２１３上に配置し、コイル２１２とともに駒部材１００Ａ内に配置してもよい。バンド１０の駒部材１００Ａ内にアンテナ２１を配置した場合、時計ケース９内にアンテナ２１を内蔵した場合に比べてアンテナ配線が長くなるため、腕やケース９との角度により、同調周波数がずれやすい。このため、コンデンサ２３０を駒部材１００Ａ内に内蔵してアンテナ２１のコイル２１２の近くに配置すれば、外部からの影響を少なくでき、アンテナ特性をより一層安定させることができる。
【００５８】
さらに、本発明は、アナログ式の電波修正時計１に限らず、デジタル式の電波修正時計１Ａに適用してもよい。デジタル式の電波修正時計１Ａは、図１１に示すように、アンテナ２１、受信回路２３、時刻データ記憶回路部２４、駆動制御回路部３、パルス合成回路３１、電力供給手段７である電池７３、リュウズなどの外部入力装置８等の電波修正時計１と同様の構成を備えている。さらに、駆動制御回路部３内には時刻カウンタ６３０が設けられ、時刻カウンタ６３０の時刻データが液晶パネルの駆動回路４３を介して時刻表示手段である液晶パネル４３０に表示されるように構成されている。
なお、時刻カウンタ６３０の値は、パルス合成回路３１からのパルス信号によって変化するとともに、受信回路２３で受信され時刻データ記憶回路部２４に記憶された時刻データが正しいと判断された場合には、その時刻データによって更新される。
【００５９】
このようなデジタル式の電波修正時計１Ａにおいても、アンテナ２１をケース本体ではなく、バンド１０の駒部材１００Ａ内に配置できるので、時計ケース９を小型、薄型化できる。特に、デジタル時計の場合、液晶パネル４３０と回路基板、電池７３等で構成できてアナログ時計に比べて部品点数が少ないため、非常に薄型の時計１Ａにできる。
【００６０】
また、駒部材１００Ａ内には、アンテナ２１のみ、あるいはアンテナ２１と同調用コンデンサ２３０を内蔵させる場合に限らず、アンテナ２１、同調回路部２２、受信回路２３を内蔵させてもよい。この場合、受信した時刻データを送信する信号線、受信回路２３を制御する信号を送る制御線、受信回路２３の電源線を駒部材１００Ａから本体ケースまで、チューブ１１０内を介して配設すればよい。
【００６１】
前述の各実施形態では、チューブ１１０の両端部に端部突出部１１０Ａを備える構成としたが、これに限らず、両端部ともに端部突出部１１０Ａが形成されていなくてもよく、また、片側のみに端部突出部１１０Ａが形成されたものでもよい。このようにすることで、チューブ１１０（筒状部材）を貫通孔９５，１０６に挿入しやすくなり、取付作業が容易にできる。さらに、筒状部材の片側あるいは両側をケース９や駒部材１００Ａに接着や溶着、圧着等の方法で固定してもよい。このようにすることで、筒状部材の固定がより確実になり、ケース９や駒部材１００Ａ内部に対する防水性が向上する。
【００６２】
また、前述の各実施形態では、ケーシング９１および駒部材１００Ａ間に跨って配置される信号線として、フレキシブル基板２１３を用いていたが、これに限らず、銅線のより線に絶縁被覆を施した導電線等の他の信号線を用いてもよい。
さらに、例えば、受信回路２３までを駒部材１００Ａ内に配置した場合のように、デジタル信号を送信する信号線を配置する場合には、光ファイバー等の信号線を用いてもよく、要するに電気信号や磁気信号、光信号等の各種信号を送信できる各種の信号線を用いればよい。
また、チューブ１１０として、ＮＢＲ（アクリロニトリル‐ブタジエン‐ゴム）を適用したが、これに限らず、ゴムとして天然ゴムやＩＩＲ（ブチルゴム）、ウレタンゴム等が適用でき、その他に合成樹脂等の可撓性や伸縮性、水密性を有する材料であれば適用可能である。また、筒状部材の形状は円筒状に限らず、断面略楕円形や長円形の筒状、断面多角形の角筒状に形成されたものでもよい。
さらに、チューブ１１０が挿入される貫通孔９５，１０６の端縁と、チューブ１１０との間にシリコンオイルを塗布してもよい。このようにすることで、チューブ１１０と貫通孔９５，１０６との間から水がより入りにくくなり、防水性を向上できる。
【００６３】
また、ケーシング９１と駒部材１００Ａとの回動角を規制する回動角規制手段としては、他の構成を採用してもよいし、この回動角規制手段は必ずしも設けなくてもよい。
【００６４】
さらに、前述の各実施形態では、時計ケース９に隣接する駒部材１００にアンテナ２１を内蔵させていたが、時計ケース９に対し１つ以上の駒部材１００を挟んで配置される駒部材１００にアンテナ２１を配置してもよい。この場合、時計ケース９と駒部材１００との間だけでなく、アンテナ２１が内蔵された駒部材１００までの各駒部材１００にも貫通孔１０６を形成し、これらの各駒部材１００間にも、前記チューブ１１０、固定部材１１５を配置して信号線を配設可能に構成すればよい。そして、アンテナ２１が内蔵された駒部材１００から１つ以上の他の駒部材１００および各チューブ１１０を介して時計ケース９まで信号線を配設すればよい。
【００６５】
また、前述の実施形態では、ケーシング９１および裏蓋９３等からなる本体ケース９や文字板１８０を、ステンレス鋼、真鍮、チタン等の金属材で構成していたが、合成樹脂やセラミックなどの非導電性材料で構成してもよく、さらにはこれらプラスチック等にメタリック塗装などの表面処理を施して金属層を形成したもので構成してもよい。この場合でも、アンテナ２１を駒部材１００Ａ側に配置することによる時計ケース９の小型、薄型化の効果は得られる。
なお、本体ケースを金属製とする場合、要求される機能において、非導電性部材で構成される部分があるときは、その部分以外を金属製とすればよい。例えば、時計ケース９においては、通常は、ケーシング９１および裏蓋９３を金属製とするが、時計によっては、内部のムーブメントを視認できるように、裏蓋９３を金属リングとその内側に嵌め込まれたガラスとで構成する場合がある。この場合、ガラス部分を除く他の部分を金属製とすればよい。要するに、本体ケースにおいて、材質を選択できる部分を金属製とすればよい。
また、固定部材１１５についても金属製に限らず、筒状部材を挟持、固定できる強度と剛性を有する材料が適用でき、例えば合成樹脂製であってもよい。
【００６６】
駒部材１００Ａの材質は、前記実施形態に限らない。例えば、駒部材１００Ａにおいてプラスチックなどの非導電性部材で構成された部分（側面部１０２Ｂや、駒本体１２１、側蓋１３２）に、メタリック塗装などの表面処理加工を施し、他の駒部材１００や本体ケース９の表面意匠と統一感が得られるようにしてもよい。
特に、駒部材１００Ａに表面処理加工を施し、本体ケース９および駒部材１００の両方と同様の表面意匠にすれば、時計全体を統一感がある意匠にすることができる。
なお、本体ケース９とバンド１０部分の表面意匠をデザイン上異ならせてもよい。この場合、前記駒部材１００Ａが各駒部材１００の途中にある場合には、駒部材１００と同様の表面意匠となるように表面処理すればよい。一方、駒部材１００Ａが、本体ケース９に隣接つまり駒部材１００と本体ケース９との間に配置されている場合には、デザイン面を考慮し、駒部材１００Ａを本体ケース９と同様の表面処理にしてもよいし、駒部材１００と同様の表面処理にしてもよい。これらは、電子機器の意匠性を考慮して適宜設定すればよい。
【００６７】
さらに、駒部材１００Ａにおいて、ループアンテナ２１の開口面に対向する面、つまりコイル２１２の軸方向に配置される面を非導電性部材で構成していたが、金属などの導電性部材で構成してもよい。導電性部材で構成すると、アンテナ特性が低下するが、時計ケース９に比べて駒部材１００Ａは薄く形成できるため、金属製の時計ケース９内にアンテナ２１を配置する場合に比べるとアンテナ特性を向上でき、無線信号の種類や強度（発信源からの距離等）によっては金属製の駒部材１００Ａ内にアンテナ２１を配置しても信号を受信できるためである。
【００６８】
さらに、駒部材１００Ａ内に内蔵されるアンテナ２１によって受信する無線情報としては、時刻情報を含む長波標準電波に限定されない。例えば、時刻情報を受信する場合でも、その無線信号としては、３００ＭＨｚ帯の微弱電波無線、４００ＭＨｚ帯の特定小電力無線、２．４ＧＨｚ帯のBluetooth(ブルートゥース)等を利用してもよい。これらの無線を受信する場合には、周波数が高いため、コイル２１２のターン数は少なくてよく、アンテナ２１も小さくできる。
【００６９】
また、電波を用いた無線通信に限らず、電磁結合方式や電磁誘導方式等の他の無線通信方式を用いてもよい。なお、電磁結合や電磁誘導方式は、通信機器同士を近接させる必要があるが、ステンレス等の非磁性体であれば金属部分でも透過して通信が可能なため、アンテナが内蔵される駒部材１００をステンレス等の金属製で構成できる利点がある。
【００７０】
さらに、前記アンテナ２１を用いて通信する無線情報としては、時刻情報に限らない。例えば、電車の定期券や各種プリペイドＩＣカードのような情報を送受信するために利用してもよい。例えば、駒部材１００内にＩＣチップとアンテナ等を組み込み、ＩＣカードを用いた改札機や入退室管理機、各種の課金支払機等に腕時計を近接させて情報をやり取りできるようにして、時計のバンド１０部分にＩＣカード機能を組み込んでもよい。この場合、別途、ＩＣカードを出し入れする必要がなく、時計をはめた手を近付けるだけでよいため、操作性を非常に向上することができる。その上、このような付加機能は駒部材１００部分に組み込むことができるので、既存の時計などに対してもバンド１０を交換するだけで容易に実現できる。
従って、本発明のアンテナ駒部材１００Ａに内蔵されるアンテナ２１としては、標準電波を受信する場合のような受信専用に用いるものでもよいし、非接触ＩＣを用いたタグのように、情報を送受信するために用いてもよいし、さらには送信専用に用いてもよく、これらは本発明を適用する電子機器の種類に応じて適宜選択すればよい。
【００７１】
本発明の無線機能付き電子機器としては、前述の電波修正時計に限定されず、例えば、前記ＩＣカード機能のみが設けられた電子機器（装着バンド付ＩＣカード装置）等の各種電子機器にも適用できる。例えば、電子機器としては、脈拍や体温等の測定機器や通信、通話機能を備えた通信機器、カレンダやスケジュール、アドレス帳機能を備えた携帯情報端末機器、電子計算機能を備えた携帯型コンピュータ、音楽や画像、映像再生機能を備えたＡＶ機器、非接触型通信機能を備えた個人情報管理用機器等の各種の無線情報の通信機能を有する電子機器に適用できる。
これらの電子機器においても、例えば本体に液晶表示部等を設け、駒部材１００内に組み込まれたアンテナで受信したり、外部に送信する情報、例えば残金情報や使用履歴等の情報を表示するようにしてもよい。さらには、電子機器から利用者のＩＤ情報を通信できるようにし、その電子機器と通信するシステム側から利用者に情報を提供するようにしてもよい。例えば、交通機関への乗降車時や、イベント会場や店舗への入退場時、会社等への出退勤時に、利用者全員にメッセージを送ったり、特定の人（ＩＤで特定）に特別なメッセージ（特典ポイントの案内、イベント情報）を送るようにしてもよい。
【００７２】
また、電子機器の場合、情報表示手段としてLCD（液晶ディスプレイ）を用いるが、バンド駒内にアンテナを配置すると、LCDから発生する電気ノイズによって、アンテナが誤受信するのを防げるメリットがある。LCDとアンテナを近接させながら誤動作を防止するには、両者の間に金属シールド板が必要になるから、本体部のみが厚くなってしまい、デザイン性も悪くなって、携帯もしづらくなる。これに対し、バンド駒内にアンテナを配置すると、機器全体を薄型化できる効果がある。
【００７３】
また、アンテナ２１は、ループアンテナに限らず、誘導体アンテナ等の他のアンテナを用いてもよく、これらは送信あるいは受信する無線情報の種類等に応じて適宜設定すればよい。なお、ループアンテナを用いる場合は、磁性体コアが挿入されていないものを用いてもよい。
【００７４】
さらに、バンドの駒部材１００内に組み込むものはアンテナに限らず、電池や２次電池や太陽電池等の電源を組み込んでもよい。これらの電源は通常本体ケース内に組み込まれるが、駒部材１００に組み込めば、本体ケースをより小型化、薄型化できる。さらに、複数の駒部材１００の表面に露出するように太陽電池を組み込めば、受光面積を大きくできて発電量を向上できる。なお、複数の駒部材１００に各種の電池を組み込んだ場合には、これらの電池を直列あるいは並列で接続するように各信号線（配線）を配設すればよい。
【００７５】
さらに、駒部材１００に設置できる機器としては、プッシュ型や４方向ポインタ、８方向ポインタ、ダイヤル回転式等のスイッチ類等でもよい。このようなスイッチ類も通常は本体ケース部分に組み込まれるが、駒部材１００側に配置することで、本体ケースのスペースを有効利用でき、例えば液晶表示部をより大きくできる等の利点がある。さらに、本体の表示部と離れた部分で操作できるので、レイアウトによっては操作性を向上でき、操作時に表示を確認し易くすることもできる。
また、駒部材１００に設置できる機器としては、ＬＣＤやＬＥＤ等で構成された副表示装置等でもよい。例えば、日付や時刻情報をこの副表示装置に表示し、本体の表示部は各種情報の表示などに利用してもよい。なお、副表示装置の表示内容としては、アラームなどの設定の有無（ベルの図形等で表示）や、次のスケジュールまでの時間等でもよく、利用者が適宜設定できることが好ましい。
さらに、本体に蓋を設け、副表示装置にメール着信情報等が表示された場合に、蓋を開いて本体の表示部でその内容を確認するような使い方をしてもよい。
【００７６】
本発明の電子機器のバンドは、腕装着用に限定されるものではなく、身体のその他の部分や、鞄等の持ち物等に装着するため、さらには単なる装飾用として設けられているものでもよい。
【００７７】
【発明の効果】
前述のように本発明の電子機器によれば、金属調の外観が得られ、デザイン上の制約も無い無線機能付き電子機器を提供できるという効果がある。
【図面の簡単な説明】
【図１】  本発明の第１実施形態の構成を示すブロック図である。
【図２】  前記実施形態のアンテナの構成を示す斜視図である。
【図３】  前記実施形態の受信回路の構成を示すブロック図である。
【図４】  前記実施形態の要部を示す分解斜視図である。
【図５】  前記実施形態の時計ケースと駒部材との連結部分を示す断面図である。
【図６】  アンテナによる電波の受信を説明する概念図である。
【図７】  本発明の第２実施形態の要部を示す分解斜視図である。
【図８】  本発明の第３実施形態の要部を示す分解斜視図である。
【図９】  本発明のアンテナの変形例を示す斜視図である。
【図１０】  本発明のアンテナの他の変形例を示す斜視図である。
【図１１】  本発明の変形例であるデジタル時計の構成を示すブロック図である。
【符号の説明】
１，１Ａ…電波修正時計、２…受信手段、３…駆動制御回路部、４…駆動手段、６…カウンタ部、７…電力供給手段、８…外部入力装置、９…時計ケース、１０…時計バンド、２１…ループアンテナ、２２…同調回路部、２３…受信回路、２４…時刻データ記憶回路部、９１…ケーシング、９１Ａ…連結用突片、９２…カバーガラス、９３…裏蓋、９５，１０６…貫通孔、１００，１００Ａ…駒部材、１０１…駒本体、１０２…裏蓋、１０２Ａ…裏面部、１０２Ｂ…側面部、１０５…ピン、１１０…チューブ、１１０Ａ…端部突出部、１１５…固定部材、１２１…駒本体、１２１Ａ…収納部、１２２…上蓋、１３１…駒本体、１３１Ａ…中空部、１３２…側蓋、１３３…絶縁材、１８０…文字板、２１１…磁性体コア、２１１Ａ…アモルファス金属薄板、２１２…コイル、２１３…フレキシブル基板、２３０…同調用コンデンサ、４３０…液晶パネル。
【図１】
0003695455.tif 000002
【図２】
0003695455.tif 000003
【図３】
0003695455.tif 000004
【図４】
0003695455.tif 000005
【図５】
0003695455.tif 000006
【図６】
0003695455.tif 000007
【図７】
0003695455.tif 000008
【図８】
0003695455.tif 000009
【図９】
0003695455.tif 000010
【図１０】
0003695455.tif 000011
【図１１】
0003695455.tif 000012